(57)【要約】【課題】  プランジャ８に鋸刃９を取付けた際に、プランジャ８の往復動により鋸刃９が外れることを抑制することによって、作業性の良い電動工具を提供すること。【解決手段】  上記した課題は、穴部９Ａを有する鋸刃９と、モータ２と、該モータ２の回転力を往復動に変換する往復動変換機構と、該往復動変換機構と接続され、前記鋸刃を往復動するように保持する往復動部材８を有する電動工具であって、前記往復動部材８は、往復動する方向と直交する方向である一方に動作することによって前記穴部９Ａに挿通可能な挿通軸３０Ｃを有し、前記挿通軸３０Ｃは前記一方へと向かうに従ってその軸が大きくなる部分を有することを特徴とする電動工具によって、達成することができる。【選択図】  図６
2009178837.tif 000002
【特許請求の範囲】
【請求項１】
穴部を有し、刃部を有する鋸刃と、
モータと、
該モータの回転力を往復動に変換する往復動変換機構と、
該往復動変換機構と接続され、前記鋸刃を往復動するように保持する往復動部材を有する電動工具であって、
前記往復動部材は、往復動する方向と直交する方向の一方へと動作することによって前記穴部に挿通可能な挿通軸を有し、
前記挿通軸に、前記穴部に挿通される部分に前記一方へと向かうに従って往復動方向の寸法が大きくなる部分を設けたことを特徴とする電動工具。
【請求項２】
前記挿通軸の、前記穴部の反鋸刃の刃部方向と接触可能な部分が、前記一方へと向かうに従って往復動方向の寸法が大きくなることを特徴とする請求項１記載の電動工具。
【請求項３】
前記挿通軸の、前記穴部の鋸刃の刃部方向と接触可能な部分が、前記一方へと向かうに従って往復動方向の寸法が大きくなることを特徴とする請求項１又は請求項２に記載の電動工具。
【請求項４】
前記往復動部材は前記挿通軸が一方とは略逆の方向へと向う方向へと付勢する付勢手段を有することを特徴とする請求項１から請求項３のいずれか１項に記載の電動工具。
【請求項５】
前記挿通軸を前記付勢手段の付勢する方向へと向う方向に操作可能な操作手段を有することを特徴とする請求項１から請求項４のいずれか１項記載の電動工具。
【発明の詳細な説明】
【技術分野】
【０００１】
本発明は、往復動する鋸刃を有する電動工具に関する。
【背景技術】
【０００２】
図１を用い往復動する鋸刃を有する電動工具の一例として、セーバソーを例として説明する。なお、セーバソーは、鋸刃が往復動する電動のこぎりであって、レシプロソーなどと呼ばれることもある。
【０００３】
図１は、セーバソー１を示す。セーバソー１は、ハウジング３、ハウジング３内部に収納されるモータ２及びハウジング３に接続されたハンドル４とを有する。ハウジング３は、後述する中間軸６やレシプロプレート７などを収納するギヤハウジング３Bと、モータ２を収納するモータハウジング３Cと、ギヤハウジング３B及びモータハウジング３Cの少なくとも一部を覆い、弾性体で設けられるラバーハウジング３Ａを有する。ハンドル４は、略Ｏ型をしており、モータハウジング３Ｃに接続されている。ハンドル４には、略Ｏ型の内側にセーバソー１に電力を供給可能なスイッチ４Ａを有する。また、ハンドル４の下部には、コンセントにつなぐ図示しないプラグより電源を供給される電源コード５を有する。
【０００４】
モータ２の回転軸上には、スプライン２Ａが切ってあり、モータ２の回転軸上にはファン２Ｂが略回転不能に設けられている。中間軸６はギヤハウジング３Ｂに回転可能に設けられている。スプライン２Ａは、中間軸６に回転不能に設けられる中間軸ギヤ６Ａと係合しており、モータ２の回転は、スプライン２Ａの回転を介して中間軸６に伝達可能となっている。中間軸６上には、中間軸６と回転不能に設けられ、中間軸６の軸方向に傾斜する中間軸傾斜部６Ｂが設けられている。中間軸傾斜部材６Ｂは、ボールベアリング６Ｃを介してレシプロプレート接続部７Ａと接続されている。
【０００５】
レシプロプレート７は、中間軸傾斜部材６Ｂの回転により、その位置を変更可能となっている。レシプロプレート７は、略モータ２の回転軸方向に伸びるプランジャ８と接続されるレシプロプレート基部７Ｂを有する。プランジャ８は、レシプロプレート７によって、略モータ２の回転軸の軸方向に往復動可能となっている。プランジャ９には、鋸刃９を取付ける鋸刃取付け部材２１が設けられており、鋸刃９を着脱可能としている。なお、プランジャ８の往復動によって、鋸刃９が往復動し、その往復動によって、刃部９Ｂが被削材を切削することによって、セーバソー１は被削材を切断する。
【０００６】
鋸刃９によって、貫通されるように、ギヤハウジング３Ｂには、着脱可能にベース１０が設けられる。ベース１０は、被削材を当接させることによって、安定した状態で切断を行うために設けられている。
【０００７】
図２に鋸刃９を示す。鋸刃９には、切断の際に用いられる刃部９Ｂがその下部に設けられる。また、鋸刃９を取付けるための穴部９Ａが設けられており、鋸刃９はプランジャ８に穴部９Ａを介して取付けられる。また、穴部９Ａ付近には、プランジャ８に差込可能な差込部９Ｃが設けられており、差込部９Ｃをプランジャ８に差し込むことによって、容易に鋸刃９を着脱可能となっている。
【０００８】
図３に、図１のＡ付近拡大図を示す。プランジャ８には、鋸刃取付け部材２１及び鋸刃取付け部材保持部２０が設けられている。図３のＢ−Ｂ断面図を図４に示す。図４に示されるように、ピン３０が図４の下方である、矢印Ｘの方向である一方向へと移動することによって、鋸刃９を取付けることができるようになっている。ピン３０の一部である挿通軸３０Ｃが鋸刃９の穴部９Ａに挿通することにより、鋸刃９は、プランジャ８に取付けられる。鋸刃取付け部材保持部２０は、プランジャ８の軸方向と直交する方向に伸びる軸部２０Ａと、図３中の鋸刃取付け部材を矢印Ｄ方向へと回動させるように付勢するねじりばね２０Ｂを有する。鋸刃取り付け部材２１は、傾斜部２１Ａを有している。この傾斜部２１Ａとピン３０の当接部３０Ａとが当接可能となっている。ここで、ピン３０は、ばね２１Ｂによって、前記した矢印Ｘの方向とは逆方向へと付勢される。また、鋸刃取付け部材２１は、ねじりばね２０Ｂの付勢力に抗して傾斜部２１Ａと一体移動可能となっている。ここで、傾斜部２１Ａのプランジャ８と略垂直な面での断面図を図５に示す。なお、直線Ｌが、鋸刃９の平行な面を表す。このように、傾斜部２１Ａは、鋸刃９と平行な面と角度Θだけ傾斜する面２１Ａ１を有している。そのため、鋸刃取り付け部材２１を矢印Ｃ方向へと移動させた際には、ばね２１Ｂの付勢力によって、挿通軸３０Ｃが矢印Ｘとは逆の方向へと移動することにより、鋸刃９の穴部９Ａに挿通された状態から挿通されない状態へと変化するようになっている。
【０００９】
ここで、ピン３０は、穴部９Ａに差し込まれる挿通軸３０Ｃを有するが、その挿通軸３０Ｃは、円柱状であった。鋸刃９が往復動などする際に、鋸刃９が矢印Ｘ方向へと移動することによって、鋸刃９が不意に外れる事があり、操作性が良くないものであった。
【発明の開示】
【発明が解決しようとする課題】
【００１０】
本発明の目的は、プランジャに挿通軸を介して鋸刃を取付けた際に、プランジャの往復動により鋸刃が外れることを抑制することによって、作業性の良い電動工具を提供すること上記したような問題点を解決し、電動工具の操作性を良くすることにある。
【課題を解決するための手段】
【００１１】
上記した目的は、穴部を有する鋸刃と、モータと、該モータの回転力を往復動に変換する往復動変換機構と、該往復動変換機構と接続され、前記鋸刃を往復動するように保持する往復動部材を有する電動工具であって、前記往復動部材は、往復動する方向と直交する方向の一方へと動作することによって前記穴部に挿通可能な挿通軸を有し、前記挿通軸は前記一方へと向かうに従ってその軸が大きくなる部分を有することを特徴とする電動工具によって、達成することができる。
【発明の効果】
【００１２】
請求項１記載の発明の電動工具の構成とすることによって、挿通軸が鋸刃の穴部に差し込まれる方向に向うに従って、往復動方向の挿通軸の寸法が大きくなる部分を有する構成となっているために、鋸刃が往復動する際に、鋸刃が差し込まれる方向とは逆の方向へと移動する。そのため、鋸刃が不意に外れる事が抑制される。そのため、作業性の良い電動工具を提供することができる。
【００１３】
請求項２記載の発明の電動工具の構成とすることによって、穴部の反鋸刃の刃部方向と接触可能な部分の寸法が大きくなる構成としたために、鋸刃を本体側に向って引く際に、挿通軸と穴部との間で、鋸刃が差し込まれる方向とは逆の方向へと移動する。そのため、鋸刃が不意に外れる事が抑制される。そのため、作業性の良い電動工具を提供することができる。
【００１４】
請求項３記載の発明の電動工具の構成とすることによって、穴部の鋸刃の刃部方向と接触可能な部分の寸法が大きくなる構成としたために、鋸刃を本体側に向って押す際に、挿通軸と穴部との間で、鋸刃が差し込まれる方向とは逆の方向へと移動する。そのため、鋸刃が不意に外れる事が抑制される。そのため、作業性の良い電動工具を提供することができる。
【００１５】
請求項４記載の発明の電動工具の構成とすることによって、挿通軸が差し込まれる一方向とは逆の方向へと向う方向へと付勢することによって、鋸刃９をプランジャ８から取り外す際に、容易に取り外すことができる。そのため、作業性の良い電動工具を提供することができる。
【００１６】
請求項５の発明の電動工具とすることによって、操作手段によって、挿通軸を挿通軸が差し込まれる一方向とは逆方向へと操作することができ、容易に鋸刃を取外すことができる。そのため、作業性の良い電動工具を提供することができる。
【発明を実施するための最良の形態】
【００１７】
本発明の一実施形態の構成を説明する。
【００１８】
図１は、本発明の一実施形態のセーバソー１を示す。セーバソー１は、ハウジング３、ハウジング３内部に収納されるモータ２及びハウジング３に接続されたハンドル４とを有する。ハウジング３は、後述する中間軸６やレシプロプレート７などを収納するギヤハウジング３Bと、モータ２を収納するモータハウジング３Cと、ギヤハウジング３B及びモータハウジング３Cの少なくとも一部を覆い、弾性体で設けられるラバーハウジング３Ａを有する。ハンドル４は、略Ｏ型をしており、モータハウジング３Ｃに接続されている。ハンドル４には、略Ｏ型の内側にセーバソー１に電力を供給可能なスイッチ４Ａを有する。また、ハンドル４の下部には、コンセントにつなぐ図示しないプラグより電源を供給される電源コード５を有する。
【００１９】
モータ２の回転軸上には、スプライン２Ａが切ってあり、モータ２の回転軸上にはファン２Ｂが略回転不能に設けられている。中間軸６はギヤハウジング３Ｂに回転可能に設けられている。スプライン２Ａは、中間軸６に回転不能に設けられる中間軸ギヤ６Ａと係合しており、モータ２の回転は、スプライン２Ａの回転を介して中間軸６に伝達可能となっている。中間軸６上には、中間軸６と回転不能に設けられ、中間軸６の軸方向に傾斜する中間軸傾斜部６Ｂが設けられている。中間軸傾斜部材６Ｂは、ボールベアリング６Ｃを介してレシプロプレート接続部７Ａと接続されている。
【００２０】
レシプロプレート７は、中間軸傾斜部材６Ｂの回転により、その位置を変更可能となっている。レシプロプレート７は、略モータ２の回転軸方向に伸びるプランジャ８と接続されるレシプロプレート基部７Ｂを有する。プランジャ８は、レシプロプレート７によって、略モータ２の回転軸の軸方向に往復動可能となっている。プランジャ９には、鋸刃９を取付ける鋸刃取付け部材２１が設けられており、鋸刃９を着脱可能としている。なお、プランジャ８の往復動によって、鋸刃９が往復動し、その往復動によって、刃部９Ｂが被削材を切削することによって、セーバソー１は被削材を切断する。
【００２１】
鋸刃９によって、貫通されるように、ギヤハウジング３Ｂには、着脱可能にベース１０が設けられる。ベース１０は、被削材を当接させることによって、安定した状態で切断を行うために設けられている。
【００２２】
図２に鋸刃９を示す。鋸刃９には、切断の際に用いられる刃部９Ｂがその下部に設けられる。また、鋸刃９を取付けるための穴部９Ａが設けられており、鋸刃９はプランジャ８に穴部９Ａを介して取付けられる。また、穴部９Ａ付近には、プランジャ８に差込可能な差込部９Ｃが設けられており、差込部９Ｃをプランジャ８に差し込むことによって、容易に鋸刃９を着脱可能となっている。なお、穴部９Ａには、刃部方向の端部９Ａ１及び反刃部方向の端部９Ａ２を有している。
【００２３】
図３に、図１のＡ付近拡大図を示す。プランジャ８には、鋸刃取付け部材２１及び鋸刃取付け部材保持部２０が設けられている。図３のＢ−Ｂ断面図を図６に示す。図６に示されるように、ピン３０が図６の下方である、矢印Ｘの方向である一方向へと移動することによって、鋸刃９を取付けることができるようになっている。ピン３０の一部である挿通軸３０Ｃが鋸刃９の穴部９Ａに挿通することにより、鋸刃９は、プランジャ８に取付けられる。鋸刃取付け部材保持部２０は、プランジャ８の軸方向と直交する方向に伸びる軸部２０Ａと、図３中の鋸刃取付け部材を矢印Ｄ方向へと回動させるように付勢するねじりばね２０Ｂを有する。鋸刃取り付け部材２１は、傾斜部２１Ａを有している。この傾斜部２１Ａとピン３０の当接部３０Ａとが当接可能となっている。ここで、ピン３０は、ばね２１Ｂによって、前記した矢印Ｘの方向とは逆方向へと付勢される。また、鋸刃取付け部材２１は、ねじりばね２０Ｂの付勢力に抗して傾斜部２１Ａと一体移動可能となっている。ここで、傾斜部２１Ａのプランジャ８と略垂直な面での断面図を図５に示す。なお、直線Ｌが、鋸刃９の平行な面を表す。このように、傾斜部２１Ａは、鋸刃９と平行な面と角度Θだけ傾斜する面２１Ａ１を有している。そのため、鋸刃取り付け部材２１を矢印Ｃ方向へと移動させた際には、ばね２１Ｂの付勢力によって、挿通軸３０Ｃが矢印Ｘとは逆の方向へと移動することにより、鋸刃９の穴部９Ａに挿通された状態から挿通されない状態へと変化するようになっている。
【００２４】
ピン３０は、挿通軸３０Ｃを有しており、挿通軸３０Ｃの大きさは、差し込まれる図７に示すようにの下方（矢印Ｘの方向）へと向うに従って大きくなっており、その部分を傾斜部３０Ｃ１とする。ピン３０は、挿通軸３０Ｃを介して鋸刃９を保持しており、プランジャ８の往復動により、鋸刃９が往復動する際には、鋸刃９が本体側に対して離間する方向に動く（押す）際に、穴部９Ａの刃部方向の端部９Ａ１とピン３０の前方部３０Ｃ１が接触し、鋸刃９が本体側に対して接近する方向に動く（引く）際に、穴部９Ａの反刃部方向の端部９Ａ２とピン３０の後方部３０Ｃ２が接触するようになっている。ピンの前方部３０Ｃ１は、矢印Ｘの方向に向うに従ってその寸法が大きくなっており、又、ピンの後方部３０Ｃ２は、矢印Ｘの方向に向うに従ってその寸法が大きくなっている。
【００２５】
図８に第２の実施例のピン３０を示す。挿通軸３０Ｃは、その大きさが同じ円柱部３０Ｃ３を有しており、前方部３０Ｃ４及び後方部３０Ｃ５を有している。ピン３０の前方部３０Ｃ４は、矢印Ｘの方向に向うに従ってその寸法が大きくなっており、又、ピンの広報部３０Ｃ５は、矢印Ｘの方向に向うに従ってその寸法が大きくなっている。
【００２６】
本発明の動作について、図１を用いて説明する。作業者が、ハンドル４及びハウジング３を把持した状態で、電源コード５の図示しないプラグをコンセントに入れ、スイッチ４Ａを操作すると、モータ２へと電力が供給される。モータ２は電力によって、回転する。モータ２の回転軸にはファン２Ｂが回転不能に設けられており、ファン２Ｂにモータハウジング３Ｃのハンドル４側端部付近からセーバソー内部へと空気が流入し、モータ２を冷却する。モータ２の回転軸には、スプライン２Ａが切ってあり、中間軸６上に回転不能に設けられている中間軸ギヤ６Ａと係合している。そのため、モータ２の回転は、中間軸６の回転へと伝達される。中間軸６の回転は、レシプロプレート７によって、プランジャ８の往復動へと変換される。プランジャ８には、鋸刃９が取付けられており、被削材をベース１０に接触させ、安定させた状態で鋸刃９の刃部９Ｂによって、被削材が切削される。
【００２７】
被削材を切削する際には、鋸刃９が往復動するために、鋸刃９Ａの穴部９Ａと、穴部９Ａよりわずかに最大の大きさが小さい挿通軸３０Ｃとの間で、プランジャ９の軸方向にわずかな相対的な移動がされる。
【００２８】
その移動は、穴部９Ａと挿通軸３０Ｃの前方部３０Ｃ１又は後方部３０Ｃ２とが当接することによって、鋸刃９の穴部９Ａが挿通軸が大きくなっていることによってガイドされるために、挿通軸３０Ｃが差し込まれる方向（矢印Ｘの方向）とは逆方向への移動へと変化する。このように、鋸刃９が挿通軸３０Ｃに対してプランジャの軸方向に移動した際に、より深く挿通軸３０Ｃと穴部９Ａとが係合することになるので、鋸刃９が不意に外れることを抑制することができる。なお、図８に示すような、前方部３０Ｃ４及び後方部３０Ｃ５によって、挿通軸３０の一部が矢印Ｘの方向に向うに従って大きくなっている構成であっても、同様に、矢印Ｘとは逆の方向へと鋸刃９が移動することになる。そのため、作業性の良い電動工具を提供することができる。
【００２９】
なお、セーバソー１は鋸刃９が本体側に対して接近する方向に動く（引く）際に被削材を切削するために、より大きい力が鋸刃９の穴部９Ａにかかる。そのため、特に後方部３０Ｃ２が矢印Ｘの方向に向うに従ってその寸法が大きくなっていることが望ましい。加えて、なお、セーバソー１は鋸刃９が本体側に対して離間する方向に動く（押す）際にも、被削材と鋸刃９が接触するために、力が掛かる。そのため、前方部３０Ｃ１が矢印Ｘの方向に向うに従ってその寸法が大きくなっていることが望ましいものである。
【００３０】
ここで、鋸刃９をプランジャ８から取り外す際には、鋸刃取付け部材２１を図３のＣ方向へと移動させることにより傾斜部２１Ａ１の傾斜面の方向へとピン３０の当接部３０Ａが移動するために、ばね２１Ｂの付勢力によって、ピン３０は矢印Ｘの方向とは逆の方向へと移動する。そのため、挿通軸３０Ｃは、穴部９Ａを挿通することがなくなる。鋸刃９を例えば作業者が手などで鋸刃取付け部材２１を矢印Ｃ方向へと移動させることによって、プランジャ８から取り外すことができる。このように、挿通軸が差し込まれる一方向（矢印Ｘの方向）とは逆の方向へと向う方向へと付勢することによって、鋸刃９をプランジャ８から取り外す際に、容易に取り外すことができる。そのため、作業性の良い電動工具を提供することができる。
【００３１】
また、挿通軸を前記付勢手段の付勢する方向へと向う方向に操作可能な操作手段である鋸刃取り付け部材２１が設けられており、図３の矢印Ｃ方向へと移動させることによって、ピン３０を矢印Ｘ方向とは逆の方向へと移動可能としているために、操作手段によって、挿通軸を挿通軸が差し込まれる一方向とは逆方向へと操作することができ、容易に鋸刃を取外すことができる。そのため、作業性の良い電動工具を提供することができる。
【００３２】
なお、本発明の一実施形態では、セーバソーを例として電動工具の説明を行ったが、セーバソー以外の往復動する鋸刃を保持する構成を持つ電動工具であれば良い。その場合には、例えば、ジグソーなどが本発明の変形例の電動工具としてある。
【００３３】
本発明の一実施形態では、電源コードによって給電する構成としたが、繰り返し充電が可能な充電池によって給電する構成であっても良く、また、電力以外の動力源によって、動作させるものであっても本発明の効果を奏し得ることができる。
【００３４】
本発明の一実施形態では、挿通軸の実施例として、図７及び図８を例として説明したが、この実施例に限られるものではない。挿通軸の少なくとも一部が、ピンが差し込まれる方向に行くに従って大きくなっているものであれば本発明の効果を奏し得ることができる。すなわち、挿通軸の形状が例えば、差し込まれる方向に行くに従って級数的に大きくなっていくもの、段階的に大きくなっていくもの、それが挿通軸の一部であるものなど、どのようなものであっても良いものである。
【００３５】
さらに、本発明の一実施形態では、前方部及び後方部にピンが差し込まれる方向に行くに従って大きくなっている構成としたが、前方部又は後方部のいずれかがそのような構成であっても本発明の効果を奏し得ることができるものである。
【図面の簡単な説明】
【００３６】
【図１】本発明の一実施形態を示すセーバソーの一部断面正面図である
【図２】本発明の一実施形態を示すセーバソーの鋸刃の正面図である
【図３】図１のＡ付近の拡大図である
【図４】従来例の図３のＢ−Ｂ線断面図である
【図５】本発明の傾斜部材のプランジャと垂直な面での断面図である
【図６】本発明の図３のＢ−Ｂ線断面図である
【図７】本発明の一実施形態のセーバソーのピンを示す正面図である
【図８】本発明の他の実施形態のセーバソーのピンを示す正面図である
【符号の説明】
【００３７】
１はセーバソー、２はモータ、３はハウジング、４はハンドル、５は電源コード、６は中間軸、７はレシプロプレート、８はプランジャ、９は鋸刃、２１は鋸刃取り付け部材、３０はピン、３０Ｃは挿通軸
【図１】
2009178837.tif 000003
【図２】
2009178837.tif 000004
【図３】
2009178837.tif 000005
【図４】
2009178837.tif 000006
【図５】
2009178837.tif 000007
【図６】
2009178837.tif 000008
【図７】
2009178837.tif 000009
【図８】
2009178837.tif 000010